(57)【特許請求の範囲】
【請求項１】
ハウジング内部に少なくとも一部が配設された一対の固定接片と、
前記ハウジングに進退可能に嵌合された押しボタンと、
前記押しボタンが押されたとき、前記一対の固定接片と接触して、前記一対の固定接片の間を導通させる第１可動接片と、
前記押しボタンが押されたとき、前記第１可動接片よりも遅れて前記一対の固定接片と接触して、前記一対の固定接片の間を導通させる第２可動接片と、
を備えた、押しボタンスイッチであって、
円筒形状の可動接片支持体を備え、
前記第１可動接片は、
前記可動接片支持体の外周を周回して配置された第１可動接片用接触バネによって、前記固定接片と接触する方向へ付勢され、
前記第２可動接片は、
前記可動接片支持体の内側に配置された第２可動接片用接触バネによって、前記固定接片と接触する方向へ付勢された、
押しボタンスイッチ。
【請求項２】
ハウジング内部に少なくとも一部が配設された一対の固定接片と、
前記ハウジングに進退可能に嵌合された押しボタンと、
前記押しボタンが押されたとき、前記一対の固定接片と接触して、前記一対の固定接片の間を導通させる第１可動接片と、
前記押しボタンが押されたとき、前記第１可動接片よりも遅れて前記一対の固定接片と接触して、前記一対の固定接片の間を導通させる第２可動接片と、
を備えた、押しボタンスイッチであって、
円筒形状の可動接片支持体を備え、
前記第１可動接片は、
前記可動接片支持体が挿通された円形の摺動体用係合孔を有し、
前記第２可動接片は、
棒状であり、
前記可動接片支持体に設けられた一対の第２可動接片用係合孔を貫通して配置され、
前記第１可動接片の脱落を防止する、
押しボタンスイッチ。
【請求項３】
ハウジング内部に少なくとも一部が配設された一対の固定接片と、
前記ハウジングに進退可能に嵌合された押しボタンと、
前記押しボタンが押されたとき、前記一対の固定接片と接触して、前記一対の固定接片の間を導通させる第１可動接片と、
前記押しボタンが押されたとき、前記第１可動接片よりも遅れて前記一対の固定接片と接触して、前記一対の固定接片の間を導通させる第２可動接片と、
を備えた、押しボタンスイッチであって、
円筒形状の可動接片支持体を備え、
前記第１可動接片は、
前記可動接片支持体が挿通された円形の摺動体用係合孔を有し、
前記第２可動接片は、
前記第１可動接片の摺動体用係合孔の直径よりも長い棒状であり、
前記可動接片支持体に設けられた一対の第２可動接片用係合孔を貫通して、
前記第１可動接片よりも前記固定接片に近い位置に配置された、
押しボタンスイッチ。
【請求項４】
ハウジング内部に少なくとも一部が配設された一対の固定接片と、
前記ハウジングに進退可能に嵌合された押しボタンと、
前記押しボタンが押されたとき、前記一対の固定接片と接触して、前記一対の固定接片の間を導通させる第１可動接片と、
前記押しボタンが押されたとき、前記第１可動接片よりも遅れて前記一対の固定接片と接触して、前記一対の固定接片の間を導通させる第２可動接片と、
を備えた、押しボタンスイッチであって、
円筒形状の可動接片支持体を備え、
前記第１可動接片は、
前記可動接片支持体が挿通された円形の摺動体用係合孔を有し、
前記可動接片支持体の外周を周回して配置された第１可動接片用接触バネによって、前記固定接片と接触する方向へ付勢され、
前記第２可動接片は、
棒状であり、
前記可動接片支持体に設けられた一対の第２可動接片用係合孔を貫通して配置され、
前記第１可動接片の脱落を防止し、
前記可動接片支持体の内側に配置された第２可動接片用接触バネによって、前記固定接片と接触する方向へ付勢された、
押しボタンスイッチ。
【発明の詳細な説明】
【技術分野】
【０００１】
本発明は押しボタンスイッチに関し、詳しくは、微小電流用押しボタンスイッチのアーク対策構造に適用されるもので、特に接触信頼性が要求される分野における押しボタンスイッチに関する。
【背景技術】
【０００２】
従来技術における押しボタンスイッチは、図４及び図５に示すように、フレーム１２とケース１３からなるハウジング１１内部において一対の固定接片３４Ａが距離を離して配置され、且つこの固定接片３４Ａに可動接片２６Ａをガイドするように配設してなる摺動体２１Ａと、該摺動体２１Ａの上部中心位置から上方向に突出形成された円柱形状の押しボタン２２と、摺動体２１Ａの下部側中心位置に摺動体２１Ａ自身を上方向に付勢してなる復帰バネ２３と、摺動体２１Ａの両端部で下方向に突出させた円筒形状の可動接片支持体２４と、可動接片支持体２４に挿通させ可動接片２６Ａで支持するように配置された接触バネ３１Ａと、可動接片支持体２４に設けた可動接片用係合孔２５Ａに収容されている棒状の可動接片２６Ａと、可動接片２６Ａの下部位置で可動接片支持体２４を挟んだ位置に設けた一対の固定接片３４Ａと、から大略構成されている。
【０００３】
固定接片３４Ａは、導電性板部材を直角に折り曲げ、更に折り曲げた後端部側を更に反対方向の直角に折り曲げて形成され、基部の上端には中間位置をく字状に切欠いて可動接片当接部（固定接点）３２を形成する。
【０００４】
可動接片２６Ａは、棒状に形成され、金メッキが施されているもので、両端部の可動接片接触部３６を可動接片当接部３２に押し当てて電気的な接続を得る構成となっている。
【０００５】
このような構成からなるスイッチにおいて、先ず、押しボタン２２が押される前の状態は、押しボタン２２に連設されている摺動体２１Ａが復帰バネ２３に押されてハウジング１１の内壁に押された状態を維持し、そのため、可動接片支持体２４に取付けられている可動接片２６Ａも固定接片３４Ａよりも上部位置に係止した状態となっている。この状態で、押しボタン２２を押すと押しボタン２２に連設されている摺動体２１Ａが復帰バネ２３の付勢力に抗して下方向に押し下がり、それに連られて可動接片支持体２４も下方向に移動し、可動接片２６Ａも下方向に移動し、固定接片の可動接片当接部（固定接点）３２に接近する。更に連続して押しボタン２２を押せば、図５に示すように、更に摺動体２１Ａが下方向に押され、可動接片支持体２４も連られて下方向に押し下げられることで、可動接片２６Ａの可動接片接触部３６が固定接片３４Ａの可動接片当接部（固定接点）３２に接触する。この可動接片２６Ａが可動接片当接部（固定接点）３２に接触したとき以後においては、接触バネ３１Ａが可動接片２６Ａを押す方向に付勢することで、可動接片２６Ａの可動接片当接部（固定接点）３２への接触状態を良好に維持するように作用する。
【先行技術文献】
【特許文献】
【０００６】
【特許文献１】特開２００５−７８８５２
【発明の概要】
【発明が解決しようとする課題】
【０００７】
しかしながら、従来技術で説明した押しボタンスイッチにおいては、金メッキを施した可動接片を固定接片の可動接片当接部（固定接点）に押し当てる方式の接触構造であるために、通電状態で押し当てて接触させることにより接触時にアークが発生する。そのため、繰り返しのアーク発生により可動接片に施した金メッキが飛散することで、素地が露出し、接触信頼性が低下するという問題がある。
【０００８】
従って、従来の押し当て方式の接触構造に対して、別途、補助接点を追加することでアーク対策を施す機構とすることに解決しなければならない課題を有する。
具体的には、２つの接点機構を備えた構成にし、補助接点である第１接点部には、銀リベット接点付きの可動接点を採用し、この銀リベット接点付きの可動接点により、アークによる接触信頼性の低下を防ぐこととし、主接点である第２接点部には従来の金メッキによる可動接片を用いることで、金メッキ接片による接触信頼性の向上を図る構造を採用することである。
尚、従来から存在する補助接点付き機構の場合、第１・第２接点部は各々別の箇所に付設されているため、スイッチ機構が複雑になり、スイッチ本体が大きくなるという問題があったが、本発明においては、同一線上に第１・第２接点部を配置し、尚且つ第２接点部の可動接点で第１接点部の可動接片の脱落防止用の部材も兼ねているため、スイッチ本体が大きくなることなく、追加部品を採用することなく取り付けることができるというものである。
【０００９】
更に、アークの発生が皆無の回路仕様の場合には、補助接点である第１接点部（銀リベット接点）を削除した機構が採用できるようにもなっている。
【課題を解決するための手段】
【００１０】
上記課題を解決するために、本願発明の押しボタンスイッチは、次に示す構成にすることである。
【００１１】
（１）押しボタンスイッチは、
ハウジング内部に配設される一対の固定接片と、
前記ハウジングに進退可能に嵌合される押しボタンと、
前記押しボタンに連結され、第２可動接片をガイドして、前記固定接片の第２接点に接触させる摺動体と、
を備えた押しボタンスイッチであって、
前記摺動体には、前記第２可動接片をガイドして前記固定接片の第２接点に接触させる前に、第１可動接片をガイドして前記固定接片の第１接点に接触させる機構を備えたことである。
（２）前記第１可動接片と第２可動接片は、同一軸上に設けたことを特徴とする（１）に記載の押しボタンスイッチ。
（３）前記第２可動接片は、第１可動接片の脱落防止用部材も兼ねていることを特徴とする（２）に記載の押しボタンスイッチ。
（４）同一部品において、前記第１可動接片を削除した機構が採用できるようにしたことを特徴とする（１）に記載の押しボタンスイッチ。
【発明の効果】
【００１２】
本発明に係る押しボタンスイッチは、アーク対策用の補助接点機構を付設することが可能になり、主接点が接触する前に補助接点を接触させるようにしたことで主接点からのアークの発生を阻止することができる。
【図面の簡単な説明】
【００１３】
【図１】本発明に係る押しボタンスイッチの一部断面して示した全体斜視図である。
【図２】同、更に主及び補助可動接点の機構の部分を断面して示した斜視図である。
【図３】同、補助可動接点が固定接点に接触した状態を示した斜視図である。
【図４】従来技術における押しボタンスイッチの一部断面して示した全体斜視図である。
【図５】同、可動接点が固定接点に接触した様子を示した斜視図である。
【発明を実施するための最良の形態】
【００１４】
本願発明に係る押しボタンスイッチの実施形態について、図面を参照して説明する。
【００１５】
本発明に係る押しボタンスイッチは、図１乃至図３に示すように、ハウジング１１内部において一対の固定接片３４が距離を離して配置され、且つこの固定接片３４に可動接片をガイドするように配設してなる摺動体２１と、該摺動体２１の上部中心位置から上方向に突出形成された円柱形状の押しボタン２２と、摺動体２１の下部側中心位置に摺動体２１自身を上方向に付勢してなる復帰バネ２３と、摺動体２１の両端部で下方向に突出させた円筒形状の可動接片支持体２４と、可動接片支持体２４に設けてある第２可動接片用係合孔２５に収容されている第２可動接片２６に支持され、且つ可動接片支持体２４の外周を貫通する大きさに形成された摺動体用係合孔２７を形成させた第１可動接片２８と、可動接片支持体２４の外周に周回させ第１可動接片で支持するように配置された第１可動接片用接触バネ２９と、可動接片支持体２４に設けた第２可動接片用係合孔２５に収容され第１可動接片２８を支持する棒状の第２可動接片２６と、可動接片支持体２４の内部に収容され、第２可動接片用係合孔２５に収容されている第２可動接片２６で支持するように配置された第２可動接片用接触バネ３１と、第２可動接片２６の下部位置で可動接片支持体２４の両側に配置され、第２可動接片２６と接触する第２固定接点３２及び第１可動接片２８の可動接点３５と接触する第１固定接点３３を備えた固定接片３４と、から大略構成されている。
【００１６】
第１可動接片２８は、所謂、補助接片であり、長尺な平板部材の両先端側に銀が被覆(クラッド)されリベット状に形成された第１可動接点３５を備え、中央位置に可動接片支持体２４の外周を貫通する大きさの摺動体用係合孔２７を備えている。
この第１可動接片２８は、あくまでも、補助接片として機能するものであり、そのため仕様によっては、この第１可動接片２８を機能させないようにすることが可能であり、その場合には第１可動接片２８（第１可動接点３５を含む）と第１固定接点３３を削除した機構にしてもよい。
【００１７】
第２可動接片２６は、所謂、主接片であり、棒状に形成され、金メッキが施されているもので、両端部が第２固定接点３２に押し当てて電気的な接続を得る第２可動接片接触部３６を形成する。
そして、第２可動接片用係合孔２５に収容されている第２可動接片２６は、可動接片支持体２４に嵌合している第１可動接片２８を下部側で支持することで第１可動接片２８の脱落を防止する構造となっている。
【００１８】
固定接片３４は、第１可動接片２８の第１可動接点３５及び第２可動接片２６の第２可動接片接触部３６とを同じ部材で接触するようにしたもので、従来技術で採用したものと同じく、導電性板部材を直角に折り曲げ、更に折り曲げた後端部側を更に反対方向の直角に折り曲げて形成され、基部の上端には中間位置をく字状に切欠いて第２可動接片２６の第２可動接片接触部３６と接触する可動接片当接部（第２固定接点）３２を形成する。同様に、直角に折り曲げた水平位置部分に第１可動接片２８のリベット状に形成した第１可動接点３５に接触するリベット状の第１固定接点３３を備えている。
【００１９】
このような構成からなるスイッチにおいて、先ず、押しボタン２２が押される前の状態は、押しボタン２２に連設されている摺動体２１が復帰バネ２３に押されてハウジング１１の内壁に押された状態を維持する。そのため、可動接片支持体２４に取付けられている第１可動接片２８及び第２可動接片２６は固定接片３４よりも上部位置に係止した状態となっている。
【００２０】
この状態で、押しボタン２２を押すと押しボタン２２に連設されている摺動体２１が復帰バネ２３の付勢力に抗して下方向に押し下がり、それに連られて可動接片支持体２４も下方向に移動し、先ず、第１可動接片２８も下方向に移動し、第１可動接点３５が第１固定接点３３に接触する。
【００２１】
更に連続して押しボタン２２を押せば、更に摺動体２１が下方向に押され、可動接片支持体２４も連られて下方向に押し下げられることで、第２可動接片２６の第２可動接片接触部３６が固定接片３４の第２固定接点３２に接触する。この第２可動接片２６の第２可動接片接触部３６が第２固定接点３２に接触したとき以後においては、第２可動接片用接触バネ３１が第２可動接片２８を押す方向に付勢することで、第２可動接片２６の第２固定接点３２への接触状態を良好に維持するように作用する。
【００２２】
同様に、第１可動接片２８の第１可動接点３５が第１固定接点３３に接触したとき以後においても、第１可動接片用接触バネ２９が第１可動接片２８を押す方向に付勢することで、第１可動接片２８の第１固定接点３３への接触状態を良好に維持する。
【産業上の利用可能性】
【００２３】
押し当て方式の接点接触構造において、別途、補助接点を追加することにより主接点でのアーク対策を施す機構とした押しボタンスイッチを提供する。
【符号の説明】
【００２４】
１１      ハウジング
１２      フレーム
１３      ケース
２１      摺動体
２２      押しボタン
２３      復帰バネ
２４      可動接片支持体
２５      第２可動接片用係合孔
２６      第２可動接片
２７      摺動体用係合孔
２８      第１可動接片
２９      第１可動接片用接触バネ
３１      第２可動接片用接触バネ
３２      第２固定接点
３３      第１固定接点
３４      固定接片
３５      第１可動接点
３６      第２可動接片接触部
【図１】
0005604288.tif 000002
【図２】
0005604288.tif 000003
【図３】
0005604288.tif 000004
【図４】
0005604288.tif 000005
【図５】
0005604288.tif 000006